(57)【要約】  【課題】  発電機の出力形式と、接続された負荷の入力形式との不一致による発電機や負荷の破損等を防止する。  【解決手段】  単相２００Ｖを出力する単相三線端子台７４と、三相２００Ｖを出力する三相端子台７２と、単相１００Ｖを出力する単相端子台７５をそれぞれ別個に設け、スイッチ６０の切り換えにより電機子コイルＵa，Ｕb；Ｖa，Ｖb；Ｗa，Ｗbの結線を単相結線と三相結線とに切り換えると共に、単相結線への切り換え時、三相端子台７２からの出力を行わずに、単相三線端子台７４及び単相１００Ｖ端子台７５からの出力を行い、前記三相結線への切り換え時、前記単相三線端子台７４からの出力を行わずに、三相端子台７２及び単相１００Ｖ端子台７５からの出力を行う。  【選択図】    図１
2006087242.tif 000002
【特許請求の範囲】
【請求項１】
発電機本体の各電機子コイルを所定の組み合わせで結線し、前記電機子コイルの結線状態を単相三線出力を行う単相三線結線と、三相出力を行う三相結線とで切り換え可能とした発電機において、
負荷を接続する出力部として、単相三線出力部、三相出力部、及び前記単相三線出力部の最大電圧に対して１／２の電圧を出力する単相出力部をそれぞれ別個に設けると共に、
前記電機子コイル間及び前記電機子コイルと前記出力部間の回路に、前記電機子コイルを前記単相三線結線又は前記三相結線のいずれかに切り換え、かつ、前記電機子コイルが前記単相三線結線のときに前記三相出力部を介した出力を行わず、前記単相三線出力部及び前記単相出力部を介した出力を行うと共に、前記電機子コイルが前記三相結線のときに、前記単相三線出力部を介した出力を行わず、前記三相出力部及び前記単相出力部を介した出力を行う開閉器を設けたことを特徴とする可変設定型発電機。
【請求項２】
前記単相三線出力部と前記三相出力部とを離間して配置したことを特徴とする請求項１記載の可変設定型発電機。
【請求項３】
前記発電機を構成する機器を収容する箱型のボンネットの一の側壁に前記単相三線出力部を設けると共に、前記三相出力部を前記ボンネットの他の側壁に設けたことを特徴とする請求項１又は２記載の可変設定型発電機。
【請求項４】
前記単相三線出力部をコンセントとしたことを特徴とする請求項１〜３いずれか１項記載の可変設定型発電機。
【発明の詳細な説明】
【技術分野】
【０００１】
本発明は、単相三線−三相間で出力形式の設定を可変とした可変設定型の発電機に関し、例えばエンジン等の駆動源によって発電機本体を駆動して発電する発電機において、発電機本体に設けられた各相の電機子コイルの結線を組み替えることにより、単相三線−三相出力間で出力形式の設定を変更可能とした可変設定型の発電機に関する。
【背景技術】
【０００２】
工事現場や各種イベント会場等、特に屋外において、電力により稼動する各種の作業機、照明器具、映像・音響機器、その他の機器（本明細書において単に「負荷」という。）を使用する場合、このような負荷に対する電力の供給源としてエンジン等の駆動源を備えた発電機が使用されている。
【０００３】
そして、このような発電機にあっては、使用する負荷に対する入力形式の違いを考慮して、該発電機における出力形式を単相三線−三相間で可変としたものが提案されている（特許文献１及び２参照）。
【０００４】
このように、発電機の出力形式を単相三線−三相出力間で変更可能とする場合には、発電機本体に設けられたＵ相、Ｖ相、Ｗ相の各電機子コイルＵa，Ｕb；Ｖa，Ｖb；Ｗa，Ｗbの結線を、図７に示す単相三線結線と、図８に示す三相結線とで切り換え可能に構成しておき、図７に示す単相結線において一例として１００Ｖ乃至２００Ｖの単相電力が、図８に示す三相結線において一例として２００Ｖの三相電力が得られるようにしている。
【０００５】
この発明の先行技術文献情報としては次のものがある。
【特許文献１】特開２００３−３３３８１４号公報
【特許文献２】特開２００１−  ５７７６４号公報
【発明の開示】
【発明が解決しようとする課題】
【０００６】
以上のように構成された従来の発電機において、出力形式を単相三線−三相間で変更可能とした発電機における切換機構の一例を図９を参照して説明すると、この回路構成中に組み込まれている発電機本体５０の各相の電機子コイルＵa，Ｕb；Ｖa，Ｖb；Ｗa，Ｗbは、電機子コイルＵa・Ｕbについては接点Ｔ1・Ｔ7間及び接点Ｔ4・Ｔ10間を短絡することにより、電機子コイルＶa・Ｖbにあっては接点Ｔ2・Ｔ8間及びＴ5・Ｔ11間を短絡することにより、電機子コイルＷa・Wbにあっては接点Ｔ3・Ｔ9間及びＴ6・Ｔ12間を短絡することによりそれぞれ並列に接続し、単相三線２００Ｖ−三相２００Ｖのいずれの出力形式の場合ともに共通の共通端子台７６と、単相三線−三相いずれの結線状態の場合においても単相１００Ｖを出力する単相端子台（単相１００Ｖ端子台７５）を設けている。
【０００７】
そして、電機子コイルＵa，Ｕb；Ｖa，Ｖb；Ｗa，Ｗb間及び電機子コイルＵa，Ｕb；Ｖa，Ｖb；Ｗa，Ｗbと前記共通端子台７６及び単相１００Ｖ端子台７５間の回路中に、４番接点に対し１又は７番接点を、５番接点に対して２又は８番接点を、６番接点に対して３又は９番接点を択一的に接続可能に構成された、リンク付き双投双刃型のナイフスイッチ６２を設け、このナイフスイッチ６２の１番接点を８番接点及び電機子コイルＶaの接点Ｔ2に、２番接点を７番接点，電機子コイルＵaの接点Ｔ4、共通端子台７６の出力端子Ｏ及び単相１００Ｖ端子台７５の出力端子Ｕ2に、３番接点を電機子コイルＵa，Ｕbのそれぞれの中間点に設けられた接点Ｔ13，Ｔ14に、４番接点を共通端子板７６の出力端子Ｖに、５番接点を電機子コイルＷa，Ｗbの接点Ｔ12，Ｔ6に、６番接点を単相１００Ｖ端子台７５の接点Ｕ1に、９番接点を電気コイルＵa，Ｕbの接点Ｔ1，Ｔ7及び共通端子台７６の出力端子Ｕに接続すると共に、共通端子台７６の出力端子Ｗを、電機子コイルＷaの接点Ｔ3に接続して構成されている。
【０００８】
以上の回路構成において、このナイフスイッチ６２を、図９中時計回り方向に回動させてナイフスイッチ６２の６−９，５−８，４−７番接点間が閉じた単相三線出力を選択すると、電機子コイルＵa，Ｕb；Ｖa，Ｖb；Ｗa，Ｗb間が図７に示す単相三線結線になると共に、共通端子台７６に設けた出力端子Ｕ，Ｗ，Ｏがそれぞれ単相三線結線の電機子コイルに対して図７に示すＵ，Ｏ，Ｗの位置に接続されると共に、単相１００Ｖ端子台７５の出力端子Ｕ1，Ｕ2がそれぞれ図７に示すＵ1（Ｕ），Ｕ2（Ｏ）の位置に接続されて、共通端子台７６の出力端子Ｕ−Ｗ間で単相２００Ｖ、Ｕ−Ｏ，Ｏ−Ｗ間で単相１００Ｖが、単相１００Ｖ端子台７５の出力端子Ｕ1−Ｕ2間で単相１００Ｖの出力がそれぞれ行われる。
【０００９】
一方、ナイフスイッチ６２を図９中反時計回り方向に回動して、ナイフスイッチ６２の３−６，２−５，１−４番接点間を閉じて三相出力を選択した位置とする場合には、電機子コイルＵa，Ｕb；Ｖa，Ｖb；Ｗa，Ｗb間が図８に示す三相結線となると共に、共通端子台７６の出力端子Ｕ，Ｖ，Ｗ，Ｏがそれぞれ三相結線の電機子コイルに対して図８中にＵ，Ｖ，Ｗ，Ｏで示す位置に接続されると共に、単相１００Ｖ端子台７５の出力端子Ｕ1が電機子コイルＵa，Ｕbそれぞれの中間位置に設けられた接点Ｔ13，Ｔ14に図８中にＵ1で示す位置で、出力端子Ｕ2が図８中にＵ2（Ｏ）で示す位置で接続されて、共通端子台７６の出力端子Ｕ，Ｖ，Ｗより三相２００Ｖの出力が、単相１００Ｖ端子台７５の出力端子Ｕ1−Ｕ2間で単相１００Ｖの出力がそれぞれ行われる。
【００１０】
このように、出力形式の設定を単相三線−三相間で可変とした発電機において、設定の切り換えを前述のナイフスイッチ６２により行う場合、このナイフスイッチ６２は端子台を増設するに必要な数の接点を備えていないことから、図９を参照した説明のように単相三線の出力と、三相の出力はこれを共通の端子台（共通端子台７６）を介して行われており、電力の供給を受ける各種機器が、単相負荷又は三相負荷のいずれの場合であっても、この負荷を共通端子台７６の出力端子Ｕ，Ｖ，Ｗ（及びＯ）に接続して使用していた。
【００１１】
そのため、共通端子台７６の出力端子Ｕ，Ｖ，Ｗ（，Ｏ）に単相負荷を接続しているにも拘わらず、ナイフスイッチ６２を切り換えて誤って三相の出力形式を選択し、又は共通端子台７６に三相負荷を接続しているにも拘わらず、ナイフスイッチ６２の切り換えにより単相三線の出力形式を選択して発電機を作動させた場合には、発電機の出力形式と、接続された負荷の入力形式とが一致せずに発電機や負荷を破損する場合があった。
【００１２】
本発明は、上記従来技術における問題点を解消するためになされたものであり、発電機において設定された出力形式と、接続された負荷の入力形式が一致しない場合であっても、発電機や負荷が破損等することを確実に防止することのできる可変設定型の発電機を提供することを目的とする。
【課題を解決するための手段】
【００１３】
上記目的を達成するために、本発明の可変設定型発電機は、発電機本体５０の各電機子コイルＵa，Ｕb；Ｖa，Ｖb；Ｗa，Ｗbを所定の組み合わせで結線し、前記電機子コイルＵa，Ｕb；Ｖa，Ｖb；Ｗa，Ｗbの結線状態を単相三線出力を行う単相三線結線（図７参照）と、三相出力を行う三相結線（図８参照）とで切り換え可能とした発電機において、
負荷を接続する出力部として、一例として単相２００Ｖの出力を行う単相三線出力部（図示の例では単相三線端子台７４）、三相出力部（図示の例では三相端子台７２）、及び前記単相三線出力部の最大電圧に対して１／２の電圧（単相１００Ｖ）を出力する単相出力部（単相１００Ｖ端子台７５）をそれぞれ別個に設けると共に、
前記電機子コイルＵa，Ｕb；Ｖa，Ｖb；Ｗa，Ｗb間及び前記電機子コイルＵa，Ｕb；Ｖa，Ｖb；Ｗa，Ｗbと前記出力部７２，７５，７４間の回路に、前記電機子コイルを前記単相三線結線又は前記三相結線のいずれかに切り換え、かつ、前記電機子コイルが前記単相三線結線のときに前記三相出力部７２を介した出力を行わず、前記単相三線出力部７４及び前記単相出力部７５を介した出力を行うと共に、前記電機子コイルが前記三相結線のときに、前記単相三線出力部７４を介した出力を行わず、前記三相出力部７２及び前記単相出力部７５を介して出力する開閉器（図示の例ではカムスイッチ６０）を設けたことを特徴とする（請求項１：図１参照）。
【００１４】
前記構成の可変設定型発電機において、前記単相三線出力部７４と前記三相出力部７２とはこれを離間して配置することが好ましく（請求項２）、
より好ましくは、前記発電機を構成する機器を収容する箱型のボンネット８０の一の側壁に前記単相三線出力部７４を設けると共に、前記三相出力部７２を前記ボンネット８０の他の側壁に設けることができる（請求項３：図３，４参照）。
【００１５】
さらに、前記単相三線出力部は、前述の端子台７４に代えてこれをコンセント７８としても良い（請求項４）。
【発明の効果】
【００１６】
以上説明した本発明の構成により、本発明の可変設定型の発電機にあっては、出力形式を単相三線−三相間で変更した場合、それぞれの出力設定に対応して別個に設けられた単相２００Ｖの出力を行う単相三線出力部（単相三線端子台７４）と三相２００Ｖの出力を行う三相出力部（三相端子台７２）がそれぞれ独立して設けられ、発電機において設定された出力形式に対応してこのうちのいずれか一方のみからの出力が行われると共に、単相三線−三相いずれの出力形式を選択した場合においても単相１００Ｖの出力を行う単相出力部（単相１００Ｖ端子台７５）が設けられていることから、単相２００Ｖ、三相２００Ｖ、単相１００Ｖの負荷をそれぞれ専用の出力部に接続でき、発電機において行われた出力の設定と、該発電機に接続された負荷における入力形式が一致しない場合であっても、負荷に対して異なる出力形式の電力が供給されることがなく、その結果、発電機や負荷の破損を確実に防止することのできる可変設定型の発電機を提供することができた。
【００１７】
また、単相三線出力部（単相三線端子台７４）と、三相出力部（三相端子台７２）とを離間した位置に設ける場合、特に、発電機の箱型ボンネット８０の異なる側壁にこれらの出力部を離間して設ける場合には、出力端子数が異なるのみで混同の生じやすい単相三線出力部（単相三線端子台７４）に三相負荷を、三相出力部（三相端子台７２）に単相負荷を誤って接続することを防止することができた。
【００１８】
さらに、単相三線出力部を、端子台７４ではなくコンセント７８とすることにより、三相負荷を誤って単相三線出力部に接続することを確実に防止することができた。
【発明を実施するための最良の形態】
【００１９】
次に、本発明の実施形態について添付図面を参照しながら以下説明する。
【００２０】
図１に示す実施形態において、本発明の発電機は、開閉器（カムスイッチ６０）の切り換えにより単相三線の出力形式を選択した際に負荷を接続する出力端子Ｕ’，Ｗ’，Ｏ’を備えた単相三線出力部である単相三線端子台７４と、三相による出力形式を選択した際に負荷を接続する出力端子Ｕ，Ｖ，Ｗ，Ｏを備えた、三相出力部である三相端子台７２、及び単相１００Ｖの負荷を接続する出力端子Ｕ1，Ｕ2を備えた単相出力部である単相１００Ｖ端子台７５とをそれぞれ別個に設け、回路内に設けたカムスイッチ６０の切り換えにより、単相三線、又は三相のいずれかの出力形式を選択することで、選択された出力形式が単相三線の場合にあっては、三相端子台７２の出力端子Ｕ，Ｖ，Ｗからの出力は行わず、単相三線端子台７４の出力端子Ｕ’−Ｗ’を介した単相２００Ｖ及び出力端子Ｕ’−Ｏ’，Ｏ’−Ｗ’を介した単相１００Ｖと、単相端子台の出力端子Ｕ1−Ｕ2を介した単相１００Ｖの出力を行い、また、三相の出力形式を選択した場合には、単相三線端子台７４の出力端子Ｕ’，Ｗ’，Ｏ’を介した出力を行わず、三相端子台７２の出力端子Ｕ，Ｖ，Ｗを介した三相２００Ｖ、及び単相端子台の出力端子Ｕ1−Ｕ2を介した単相１００Ｖの出力を行う構成としている。
【００２１】
このように構成することにより、図９を参照して説明した従来技術のように、共通端子台７６において単相三線出力及び三相出力のいずれも行う場合には、例えば共通端子台７６に単相負荷を接続した状態でナイフスイッチ６２の切り換えによって発電機の出力設定を三相出力に変更して発電機を始動と、単相負荷に対して三相の電力が入力されるが、前述した本発明の可変設定型発電機の構成にあっては、単相端子台７４の端子Ｕ’，Ｗ’，Ｏ’に単相負荷を接続したままの状態において、スイッチ６０の切り換えにより発電機の出力形式を三相に切り換えた場合、又は、三相端子台７２の出力端子Ｕ，Ｖ，Ｗに三相負荷を接続したままの状態において、発電機の出力形式を単相三線に切り換えて発電機を作動させたいずれの場合であっても、発電機の出力形式とは異なる入力形式の負荷が接続された端子台からは出力が行われないことから、発電機や負荷が破損することが確実に防止されている。
【００２２】
また、単相１００Ｖ端子台７５に接続された単相１００Ｖの負荷に対しては、発電機の出力設定を単相三線−三相のいずれに切り換えた場合であっても電力の出力が行われるが、単相三線−三相のいずれの設定とした場合であっても単相１００Ｖ端子台７５の出力端子Ｕ1，Ｕ2からは常に単相１００Ｖの出力が行われるため、発電機の出力形式と負荷の入力形式間に不一致が生じることのないものとなっている。
【００２３】
このように、発電機の出力形式を単相三線−三相間で選択可能と成すと共に、単相三線の出力と、三相出力を行う端子台をそれぞれ専用の端子台（三相端子台７２，単相三線端子台７４）として設けると共に、発電機の出力設定をいずれに切り換えた場合においても常に単相１００Ｖを出力する単相１００Ｖ端子台７５をそれぞれ独立して設けるために、本実施形態にあっては、電機子コイルＵa，Ｕb；Ｖa，Ｖb；Ｗa，Ｗb間及び電機子コイルＵa，Ｕb；Ｖa，Ｖb；Ｗa，Ｗbと前記端子台７２，７４，７５間の回路に、多数の接点を備えた開閉器、例えば多数のカム接点を備えたカムスイッチやレバースイッチ等（本実施形態にあってはカムスイッチ６０）を設け、このカムスイッチ６０の操作によって発電機本体５０の電機子コイルＵa，Ｕb；Ｖa，Ｖb；Ｗa，Ｗbの結線状態を切り換えると共に、三相端子台７２又は単相三線端子台７４のうち、選択した出力形式に対応した一方の端子台の出力端子を介してのみ出力を行い、かつ、単相１００Ｖ端子台７５の出力端子Ｕ1−Ｕ2における出力が、いずれの出力形式を選択した場合においても単相１００Ｖの出力となるように出力端子Ｕ1，Ｕ2に対する電機子コイルの接続パターンを切り換えることができるように構成している。
【００２４】
カムスイッチ６０によるこのような切り換えを可能とする位置構成例として、本実施形態において使用するカムスイッチ６０は、図１に示すように１〜２０番迄の接点を備えており、このカムスイッチ６０において奇数番の接点と偶数番の接点間がカムの回転により開閉可能となっており、図示の例では、１−２，３−４，９−１０，１１−１２，１７−１８番の接点間を閉じたとき、５−６，７−８，１３−１４，１５−１６，１９−２０番の接点間が開き、また、５−６，７−８，１３−１４，１５−１６，１９−２０番の接点間を閉じたとき、１−２，３−４，９−１０，１１−１２，１７−１８番の接点間が開くように構成されている。
【００２５】
なお、３−１５，２−６−１７，４−８，１０−１４，１２−１６，１８−２０番の各接点間はそれぞれ短絡されている。
【００２６】
以上のように構成されたカムスイッチ６０に対し、前述の三相端子台７２に設けられた出力端子Ｕを５番接点に、出力端子Ｖを７番接点に、出力端子Ｗを１３番接点に接続し、また、単相三線端子台７４の出力端子Ｕ’を１番接点に、出力端子Ｗ’を９番接点に、出力端子Ｏ’を１１番接点に、単相１００Ｖの端子台７５の出力端子Ｕ1を１８番接点に、Ｕ2を１５番接点及び電機子コイルＷbの接点Ｔ12にそれぞれ接続している。
【００２７】
また、発電機本体のＵ，Ｖ，Ｗの各相の電機子コイルＵa，Ｕb；Ｖa，Ｖb；Ｗa，Ｗbは、それぞれ、前述の図９を参照して説明した従来技術における発電機と同様に各電機子コイルＵa，Ｕb；Ｖa，Ｖb；Ｗa，Ｗbの接点Ｔ1〜Ｔ12（符号は図９のものと同様である。）間を所定の組合せで短絡して予め並列に接続していると共に、電機子コイルＵa，Ｕbの各中間点に設けられた端子Ｔ13，Ｔ14が短絡されており、前述のカムスイッチ６０の２番接点を電機子Ｕaの接点Ｔ1に、４番接点を電機子コイルＶaの接点Ｔ2に、１０番接点を電機子コイルＷaの接点Ｔ3に、１２番接点を電機子コイルＶbの接点Ｔ11に、１５番接点を電機子コイルＷbの接点Ｔ12に、１６番接点を電機子コイルＵbの接点Ｔ10に、１７番接点を電機子コイルＵaの接点Ｔ1に、１９番接点を電機子コイルＵaの接点Ｔ13にそれぞれ接続している。
【００２８】
なお、前述の三相端子台７２に設けられた出力端子Ｏは電機子コイルＵbの接点Ｔ10に接続されている。
【００２９】
以上の回路構成において、カムスイッチ６０の操作により発電機の出力形式として単相三線を選択すると、カムスイッチ６０の１−２番接点が閉じることにより単相三線端子台７４の出力端子Ｕ’が電機子コイルＵaの接点Ｔ1に接続され、カムスイッチ６０の９−１０番接点が閉じることにより出力端子Ｗ’が電機子コイルＷaの接点Ｔ3に、１１−１２番接点間が閉じることにより出力端子Ｏ’が電機子コイルＶbの接点Ｔ11及び短絡回路を介してカムスイッチの１６番接点に接続された電機子Ｕaの接点Ｔ4にそれぞれ接続されると共に、カムスイッチの３−４番接点が閉じることにより電機子コイルＶaの接点Ｔ2と電機子Ｗbの接点Ｔ12とが接続される。
【００３０】
また、カムスイッチの５−６，７−８，１３−１４番接点間が開くことにより、三相端子台７２の出力端子Ｕと電機子コイルＵaの接点Ｔ1間、出力端子Ｖと電機子コイルＶaの接点Ｔ2間、出力端子Ｗと電機子Ｗaの接点Ｔ3間が切断されて、三相端子台の出力端子Ｕ，Ｖ，Ｗからの出力が行われなくなると共に、カムスイッチ６０の１５−１６番接点間が開くことにより、電機子コイルＷbの接点Ｔ12と、電機子コイルＵbの接点Ｔ10間が切断される。
【００３１】
また、カムスイッチの１７−１８番接点間が閉じることにより、単相１００Ｖ端子板の出力端子Ｕ1が電機子コイルＵaの接点Ｔ1に接続されると共に、１９−２０板接点間が開くことにより出力端子Ｕ1と電機子コイルＵaの接点Ｔ13間の接続が断たれ、また、単相１００Ｖ端子板の出力端子Ｕ2が、カムスイッチの１５−１６番接点間が閉じることにより電機子コイルＵbの接点Ｔ10に接続されて、発電機本体の電機子コイルは、図７に示す単相結線となる。
【００３２】
これにより、三相端子台７２に設けられた出力端子Ｕ，Ｖ，Ｗによる三相２００Ｖの出力は行われず、単相三線端子台７４の出力端子Ｕ’−Ｗ’からの単相２００Ｖ及び出力端子Ｕ’−Ｏ’，Ｏ’−Ｗ’からの単相１００Ｖの出力、並びに単相１００Ｖ端子台７５の出力端子Ｕ1−Ｕ2からの単相１００Ｖの出力が行われる（図２参照）。
【００３３】
一方、カムスイッチ６０の操作により発電機の出力形式として三相を選択すると、カムスイッチ６０の５−６，７−８，１３−１４番接点が閉じることにより、三相端子台７２の出力端子Ｕと電機子コイルＵaの接点Ｔ1間、出力端子Ｖと電機子コイルＶaの接点Ｔ2間、出力端子Ｗと電機子Ｗaの接点Ｔ3間が接続されて、三相端子台７２の出力端子Ｕ，Ｖ，Ｗからの出力が可能な状態になると共に、カムスイッチの１５−１６番接点間が閉じることにより、電機子Ｗbの接点Ｔ12と、電機子コイルＵbの接点Ｔ12が接続される。
【００３４】
また、カムスイッチ６０の１−２，９−１０，１１−１２番接点が開くことにより単相端子台７４の出力端子Ｕ’と電機子コイルＵa間の接点Ｔ1、出力端子Ｗ’と電機子コイルＷaの接点Ｔ3間、出力端子Ｏ’と電機子コイルＶbの接点Ｔ11及び短絡回路を介してカムスイッチ６０の１６番端子に接続された電機子コイルＵaの接点Ｔ4間がそれぞれ切断されて、単相端子台７４の出力端子Ｕ’，Ｗ’，Ｏ’からの出力が行われなくなると共に、カムスイッチの３−４番接点間が開くことにより電機子コイルＶaの接点Ｔ2と電機子Ｗbの接点Ｔ12間が切断される。
【００３５】
さらに、カムスイッチの１９−２０番接点間が閉じることにより、単相１００Ｖ端子台７５の出力端子Ｕ1が電機子コイルＵaの接点Ｔ13に接続されると共に、１７−１８番接点間が開くことにより、出力端子Ｕ1と電機子コイルＵaの接点Ｔ1間が切断される。また、カムスイッチ６０の１５−１６番接点間が閉じることにより、出力端子Ｕ2が電機子コイルＵbの接点Ｔ10に接続され、これにより発電機本体５０の電機子コイルが図８に示す三相結線となる。
【００３６】
その結果、単相三線端子台７４に設けられた出力端子Ｕ’，Ｗ’，Ｏ’による単相三線の出力は行われず、三相端子台７２の出力端子Ｕ，Ｖ，Ｗからの三相２００Ｖの出力、並びに単相１００Ｖ端子台７５の出力端子Ｕ1−Ｕ2からの単相１００Ｖの出力が行われる（図２参照）。
【００３７】
なお、図１を参照して発電機の出力形式の変更を可能とする回路構成の一例について説明したが、前記同様の動作を行うことが可能であれば、その回路構成は図示の実施形態に限定されず、各種の変形が可能である。
【００３８】
また、図１を参照して説明した上記の実施形態にあっては、単相三線の出力を単相三線端子台７４に設けた出力端子Ｕ’，Ｗ’，Ｏ’を介して行うものとして説明したが、この単相三線端子台７４に代えて図１中に二点鎖線で示す枠内に記載したコンセント７８を設けても良く、このようなコンセント７８を単相負荷の接続部とすることにより、単相負荷の接続部に誤って三相負荷を接続する等の間違いを確実に防止することができる。
【００３９】
さらに、単相１００Ｖ端子台７５に代え、又は単相１００Ｖ端子台７５と共に、これを単相１００Ｖを出力するコンセント７９としても良い。
【００４０】
なお図３〜図６は、三相出力部７２、単相三線出力部７４及び単相１００Ｖ出力部７５のボンネット８０上における配置位置を示しており、図示の例では、単相三線出力部７４をいずれもコンセント７８とすると共に、三相出力部である三相端子台７２とこの単相三線出力部７４であるコンセント７８とをボンネット８０上の離間した位置に設けている。
【００４１】
このうち、図３及び図４に示す実施形態にあっては、ボンネット８０の幅方向を成す側壁に、前述の三相出力部７２及び単相１００Ｖ出力部７５を操作盤８２の下方に位置して設けると共に、単相三線出力部７４であるコンセント７８をボンネット８０の長さ方向の側壁に設けている。
【００４２】
このように、単相三線出力部をコンセント７８とし、三相出力部を端子台７２とすることにより、単相三線出力部であるコンセント７８に接続される単相負荷と、三相の出力部に接続される三相負荷とを誤って異なる出力部に接続することが防止できると共に、単相三線出力部７４と三相出力部７２とを離間して設けることにより、より好ましくは図３及び図４に示すように発電機のボンネット８０の異なる側壁にそれぞれを設けることにより、単相負荷と三相負荷との接続間違いをより確実に防止することができる。
【００４３】
なお、単相三線出力部７４と三相出力部７２とは図３及び図４に示すように必ずしもボンネット８０の異なる側面上に設ける必要はなくいずれも同一の側壁に設けても良い。
【００４４】
もっとも、このよう単相三線出力部７４と三相出力部７２とをボンネット８０の同一の側面に設ける場合においても、好ましくは、三相出力部７２と単相三線出力部７４とは、これを離間して配置することが好ましく、また、単相三線出力部７４はこれをコンセント７８とすることが、両者の混同による接続間違いを防止する点からも好ましい。
【００４５】
図５及び図６に示す実施形態にあっては、発電機の幅方向を成すボンネット８０の側面に操作盤８２を設けると共に（図５）、発電機の長さ方向を成す側面に単相三線出力部７４、三相出力部７２、単相１００Ｖ出力部７５のいずれをも設けた構成としているが、前述したように混同による接続間違いを防止する観点から、単相三線出力部をコンセント７８としていると共に、このコンセント７８を三相出力部７２に対して離間して配置している。
【産業上の利用可能性】
【００４６】
以上説明した本発明の発電機の構造は、エンジン等の駆動源によって発電機本体を駆動して発電する、例えば可搬式の各種の発電機において採用することができ、工事現場、各種イベント会場、その他、例えば屋外等において電力により稼動する作業機器、照明機器、映像・音響機器、その他の各種の機器に対する電力供給源として使用する発電機の構成として採用可能である。
【図面の簡単な説明】
【００４７】
【図１】本発明の可変設定型発電機における回路構成の概略説明図。
【図２】カムスイッチの切り換え位置と各出力部における出力状況との関係を示した表。
【図３】発電機の正面図。
【図４】発電機の右側面図。
【図５】発電機の正面図。
【図６】発電機の右側面図。
【図７】電機子コイルの単相結線説明図。
【図８】電機子コイルの三相結線説明図。
【図９】従来の可変設定型発電機における回路構成の概略説明図
【符号の説明】
【００４８】
５０  発電機本体
６０  スイッチ（カムスイッチ）
６２  スイッチ（ナイフスイッチ）
７２  三相出力部（三相端子台）
７４  単相三線出力部（単相三線端子台）
７５  単相（１００Ｖ）出力部〔単相（１００Ｖ）端子台〕
７６  共通端子台（三相・単相）
７８，７９  コンセント
８０  ボンネット
８２  操作盤
Ｕ，Ｖ，Ｗ，Ｏ，Ｕ’，Ｗ’，Ｏ’，Ｕ1，Ｕ2  出力端子
Ｕa，Ｕb；Ｖa，Ｖb；Ｗa，Ｗb  電機子コイル
Ｔ1〜Ｔ14  端子（電機子コイルの）
【図１】
2006087242.tif 000003
【図２】
2006087242.tif 000004
【図３】
2006087242.tif 000005
【図４】
2006087242.tif 000006
【図５】
2006087242.tif 000007
【図６】
2006087242.tif 000008
【図７】
2006087242.tif 000009
【図８】
2006087242.tif 000010
【図９】
2006087242.tif 000011